(57)【要約】【課題】大きな滑り止め効果を得ることができる手袋を提供する。【解決手段】手袋は、装着者の手の親指、人差し指、中指、薬指および小指をそれぞれ受け入れ可能な親指部１０Ａ、人差し指部１０Ｂ、中指部１０Ｃ、薬指部１０Ｄおよび小指部１０Ｅと、装着者の手の手掌を受け入れ可能な手掌部１２と、親指部１０Ａ、人差し指部１０Ｂ、中指部１０Ｃ、薬指部１０Ｄおよび小指部１０Ｅならびに手掌部１２の少なくともいずれかの表面に配置された滑り止め部材２０とを備える。滑り止め部材２０は、親指部１０Ａの腹側の表面に配置された親指滑り止め部２１と、人差し指部１０Ｂの腹側の表面に配置された人差し指滑り止め部２２とを含む。親指滑り止め部２１の延在方向が第１親指部１０Ａの中心線に対して成す角度が、人差し指滑り止め部２２の延在方向が第１人差し指部１０Ｂの中心線に対して成す角度と異なる。【選択図】図１
2019090133.tif 000002
【特許請求の範囲】
【請求項１】
装着者の手の親指、人差し指、中指、薬指および小指をそれぞれ受け入れ可能な親指部、人差し指部、中指部、薬指部および小指部と、
前記装着者の前記手の手掌を受け入れ可能な手掌部と、
前記親指部、前記人差し指部、前記中指部、前記薬指部および前記小指部ならびに前記手掌部の少なくともいずれかの表面に配置された滑り止め部材とを備え、
前記滑り止め部材は、前記親指部の腹側の表面に配置された親指滑り止め部と、
前記人差し指部の腹側の表面に配置された人差し指滑り止め部とを含み、
前記親指滑り止め部の延在方向が前記親指部の中心線に対して成す角度は、前記人差し指滑り止め部の延在方向が前記人差し指部の中心線に対して成す角度と異なる、手袋。
【請求項２】
前記親指滑り止め部の延在方向は、前記親指部の幅方向に沿っており、
前記人差し指滑り止め部の延在方向は、前記人差し指部の前記中心線に沿っている、請求項１に記載の手袋。
【請求項３】
前記滑り止め部材は、前記手掌部の表面に配置された手掌滑り止め部をさらに含み、
前記手掌滑り止め部は、前記装着者に装着されたときに前記装着者の人差し指の中手骨の膨出部と重なるように配置されており、
前記手掌滑り止め部は、前記人差し指部と前記中指部とが並ぶ方向に沿って前記人差し指部側から前記小指部側に向けて延在している、請求項１または２に記載の手袋。
【請求項４】
前記滑り止め部材は、前記中指部の腹側の表面に配置された中指滑り止め部をさらに含み、
前記中指滑り止め部は、前記中指部の付け根から先端に向けて延在しており、
前記手掌滑り止め部は、前記装着者に装着されたときに前記装着者の人差し指の中手骨の膨出部および前記装着者の中指の中手骨の膨出部と重なるように配置されており、かつ、前記人差し指部と前記中指部とが並ぶ方向に沿って前記人差し指部側から前記小指部側に向けて延在している、請求項３に記載の手袋。
【請求項５】
前記滑り止め部材は、前記薬指部の腹側の表面に配置された薬指滑り止め部をさらに含み、
前記薬指滑り止め部は、前記薬指部の付け根から先端に向けて延在しており、
前記手掌滑り止め部は、前記装着者に装着されたときに前記装着者の人差し指の中足骨の膨出部、前記装着者の中指の中足骨の膨出部、および前記装着者の薬指の中足骨の膨出部と重なるように配置されており、かつ、前記人差し指部と前記中指部とが並ぶ方向に沿って前記人差し指部側から前記小指部側に向けて延在している、請求項４に記載の手袋。
【請求項６】
前記滑り止め部材は、前記表面の面内方向において波形に構成されている、請求項１〜５のいずれか１項に記載の手袋。
【請求項７】
前記滑り止め部材は、前記表面の面内方向において全体として波形となるように互いに間隔をあけて配置された複数の構成部分を含む、請求項６に記載の手袋。
【請求項８】
前記滑り止め部材は、前記装着者が打撃具を握ってスイングしたときに前記表面に作用するせん断力の方向に対して交差する方向に延在している、請求項１〜７のいずれか１項に記載の手袋。
【請求項９】
第１手袋と第２手袋とを備え、
前記第１手袋は、請求項１〜８のいずれか１項に記載の手袋であり、
前記第２手袋は、
前記装着者の前記手とは反対の手の親指、人差し指、中指、薬指および小指をそれぞれ受け入れ可能な第２親指部、第２人差し指部、第２中指部、第２薬指部および第２小指部と、
前記装着者の前記反対の手の手掌を受け入れ可能な第２手掌部と、
前記第２親指部、前記第２人差し指部、前記第２中指部、前記第２薬指部および前記第２小指部ならびに前記第２手掌部の少なくともいずれかの表面に配置された第２滑り止め部材とを含み、
前記第２滑り止め部材は、前記第２手掌部の前記表面に配置された第１滑り止め部および第２滑り止め部を有し、
前記第１滑り止め部および前記第２滑り止め部のそれぞれは、前記装着者が用具を握ったときに前記第２薬指部および前記第２小指部と対向する領域に配置されており、かつ前記第２人差し指部および前記第２中指部と対向する領域に配置されておらず、
前記第１滑り止め部は、前記第２薬指部と前記第２小指部とが並ぶ方向に沿って前記第２薬指部側から前記第２小指部側に向けて延在しており、
前記第２滑り止め部は、前記第２薬指部および前記第２小指部のそれぞれから前記第１滑り止め部よりも離れて配置されており、かつ前記第２薬指部側から前記第２小指部側に向けて前記第１滑り止め部との間隔が広がるように延在している部分を有する、１対の手袋。
【発明の詳細な説明】
【技術分野】
【０００１】
本発明は、手袋に関するものである。
【背景技術】
【０００２】
一般的に、たとえばゴルフ、野球などでは、プレーヤーはスイング時に打撃具を握る手が滑らないように手袋を装着する。この手袋には滑り止め部材が設けられたものがある。
【０００３】
例えば、登録実用新案第３０６２５７９号公報には、利き手とは反対の手に装着される滑り止め付ゴルフ用手袋が記載されている。この滑り止め付ゴルフ用手袋では、手袋の手掌側の胴部および各指部に適時間隔をあけて斜め交差状に線状の突条が多数本一体に設けられている。
【０００４】
また、特許第４８６７０５７号公報には、両手に装着される滑り止め付ゴルフ用手袋が記載されている。
【先行技術文献】
【特許文献】
【０００５】
【特許文献１】登録実用新案第３０６２５７９号公報
【特許文献２】特許第４８６７０５７号公報
【発明の概要】
【発明が解決しようとする課題】
【０００６】
特許第４８６７０５７号公報に記載された滑り止め付ゴルフ用手袋では、利き手に装着されることによる違和感、滑り止め部が配置されていることによる違和感の軽減が図られている。
【０００７】
一方で、特にゴルフにおいては、把持力が低いプレーヤーにおいても高いグリップ力を発揮できるのが望ましい。そのため、手袋には、効率的に打撃具のグリップ部との間でより強い摩擦力を生じさせるような滑り止め効果の向上が期待されている。
【０００８】
本発明の主たる目的は、効率的に大きな滑り止め効果を得ることができる手袋を提供することである。
【課題を解決するための手段】
【０００９】
本発明の手袋は、装着者の手の親指、人差し指、中指、薬指および小指をそれぞれ受け入れ可能な親指部、人差し指部、中指部、薬指部および小指部と、装着者の手の手掌を受け入れ可能な手掌部と、親指部、人差し指部、中指部、薬指部および小指部ならびに手掌部の少なくともいずれかの表面に配置された滑り止め部材とを備える。滑り止め部材は、親指部の腹側の表面に配置された親指滑り止め部と、人差し指部の腹側の表面に配置された人差し指滑り止め部とを含む。親指滑り止め部の延在方向が親指部の中心線に対して成す角度は、人差し指滑り止め部の延在方向が人差し指部の中心線に対して成す角度と異なる。
【００１０】
装着者が上記手袋を利き手に装着して打撃具を握ってスイングしたときに、親指部および人差し指部の表面には上記手袋の他の部分と比べて強いせん断力が作用する。本発明者らの鋭意研究の結果、上記スイング時に親指部の表面に作用するせん断力の方向が親指部の中心線に対して成す角度が、上記スイング時に人差し指部の表面に作用するせん断力の方向が人差し指部の中心線に対して成す角度と異なっていることが確認された。
【００１１】
さらに、本発明者らは、上記スイング時に親指部の表面に作用するせん断力の方向が親指部の延在方向に沿っているのに対し、上記スイング時に人差し指部の表面に作用するせん断力の方向は人差し指部の中心線と交差する方向に沿っていることを確認した。
【００１２】
上記手袋では、親指滑り止め部の延在方向が親指部の中心線に対して成す角度が、人差し指滑り止め部の延在方向が人差し指部の中心線に対して成す角度と異なる。つまり、上記手袋では、親指滑り止め部を上記スイング時に親指部の表面に作用するせん断力の方向に対して交差する方向に延在するように配置しながら、人差し指滑り止め部を上記スイング時に人差し指部の表面に作用するせん断力の方向に対して交差する方向に延在するように配置することができる。これにより、上記手袋は、大きな滑り止め効果を得ることができる。
【００１３】
上記手袋では好ましくは、親指滑り止め部の延在方向は親指部の幅方向に沿っており、人差し指滑り止め部の延在方向は人差し指部の中心線に沿っている。これにより、上記手袋は、大きな滑り止め効果を得ることができる。
【００１４】
上記手袋において好ましくは、滑り止め部材は手掌部の表面に配置された手掌滑り止め部をさらに含む。手掌滑り止め部は、装着者に装着されたときに装着者の人差し指の中手骨の膨出部と重なるように配置されている。手掌滑り止め部は、前記人差し指部と前記中指部とが並ぶ方向に沿って前記人差し指部側から前記小指部側に向けて延在している。
【００１５】
本発明者らは、上記スイング時に、親指部および人差し指部に次いで、手掌部において装着者に装着されたときに装着者の人差し指の中手骨の膨出部と重なる部分の表面に、強いせん断力が作用すること、上記スイング時に手掌部において装着者に装着されたときに装着者の人差し指の中手骨の膨出部と重なる部分の表面に作用するせん断力の方向は人差し指部と前記中指部とが並ぶ方向と交差する方向に沿っていることを確認した。
【００１６】
そのため、上記手袋によれば、装着者に装着されたときに装着者の人差し指の中手骨の膨出部と重なる手掌部の部分に作用するせん断力に対し垂直に、手掌滑り止め部を配置することができる。これにより、大きな滑り止め効果を得ることができる。
【００１７】
上記手袋では好ましくは、滑り止め部材は中指部の腹側の表面に配置された中指滑り止め部をさらに含む。中指滑り止め部は、中指部の付け根から先端に向けて延在している。手掌滑り止め部は、装着者に装着されたときに装着者の人差し指の中手骨の膨出部および装着者の中指の中手骨の膨出部と重なるように配置されており、かつ、人差し指部と中指部とが並ぶ方向に沿って人差し指部側から小指部側に向けて延在している。
【００１８】
上記手袋では好ましくは、滑り止め部材は、薬指部の腹側の表面に配置された薬指滑り止め部をさらに含む。薬指滑り止め部は、薬指部の付け根から先端に向けて延在している。手掌滑り止め部は、装着者に装着されたときに装着者の人差し指の中手骨の膨出部、装着者の中指の中手骨の膨出部、および装着者の薬指の中手骨の膨出部と重なるように配置されており、かつ、人差し指部と中指部とが並ぶ方向に沿って人差し指部側から小指部側に向けて延在している。
【００１９】
本発明者らは、上記スイング時に利き手に装着される手袋の表面に作用するせん断力は人差し指部と中指部とが並ぶ方向において人差し指から離れるにつれて弱くなること、上記スイング時に中指部および薬指部の各表面に作用するせん断力の方向は中指部および薬指部の各中心線と交差する方向に沿っていることを確認した。
【００２０】
そのため、上記手袋によれば、上記スイング時に中指部に作用するせん断力に対し垂直に、中指滑り止め部を配置することができる。これにより、上記手袋は、大きな滑り止め効果を得ることができる。また、上記手袋によれば、上記スイング時に薬指部に作用するせん断力に対し垂直に、薬指滑り止め部を配置することができる。これにより、上記手袋は、大きな滑り止め効果を得ることができる。
【００２１】
上記手袋では好ましくは、滑り止め部材は、表面の面内方向において波形に構成されている。このため、装着者が打撃具を握ってスイングしたときに各指部および手掌部の表面に作用するせん断力に対し垂直に滑り止め部材を配置することが容易である。
【００２２】
上記手袋では好ましくは、滑り止め部材は、表面の面内方向において全体として波形となるように互いに間隔をあけて配置された複数の構成部分を含む。構成部分は、親指部の幅方向の中央および人差し指部の幅方向の中央のそれぞれには配置されていない。第２薬指部および第２小指部のそれぞれの幅方向の中央は両側に比べて腹側に突出しているため摩擦力が高くなる。構成部分が第２薬指部および第２小指部のそれぞれの幅方向の中央に配置されていないため、装着者が感じる違和感を小さくすることができる。
【００２３】
上記手袋では好ましくは、滑り止め部材は、装着者が打撃具を握ってスイングしたときに表面に作用するせん断力の方向に対して交差する方向に延在している。このため、第１滑り止め部材は、上記スイング時に効率的に打撃具との間に大きな摩擦力を生じさせることができ、大きな滑り止め効果を奏することができる。
【００２４】
本発明の一対の手袋は、第１手袋と第２手袋とを備える。第１手袋は、上記手袋のいずれかである。第２手袋は、装着者の手とは反対の手の親指、人差し指、中指、薬指および小指をそれぞれ受け入れ可能な第２親指部、第２人差し指部、第２中指部、第２薬指部および第２小指部と、装着者の反対の手の手掌を受け入れ可能な第２手掌部と、第２親指部、第２人差し指部、第２中指部、第２薬指部および第２小指部ならびに第２手掌部の少なくともいずれかの表面に配置された第２滑り止め部材とを含む。第２滑り止め部材は、第２手掌部の表面に配置された第１滑り止め部および第２滑り止め部を有する。第１滑り止め部および第２滑り止め部のそれぞれは、装着者が打撃具を握ったときに第２薬指部および第２小指部と対向する領域に配置されており、かつ第２人差し指部および第２中指部と対向する領域に配置されていない。第１滑り止め部は、第２薬指部と第２小指部とが並ぶ方向に沿って第２薬指部側から第２小指部側に向けて延在している。第２滑り止め部は、第２薬指部および第２小指部のそれぞれから第１滑り止め部よりも離れて配置されており、かつ第２薬指部側から第２小指部側に向けて第１滑り止め部との間隔が広がるように延在している部分を有する。
【００２５】
本発明の一対の手袋によれば、第１手袋が上記手袋として構成されているため、第１手袋を利き手に装着した装着者が打撃具を握ってスイングをしたときに、大きな滑り止め効果を奏することができる。
【００２６】
さらに、本発明の一対の手袋によれば、第２手袋の第１滑り止め部および第２滑り止め部のそれぞれは、装着者が打撃具を握ったときに第２薬指部および第２小指部と対向する領域に配置されており、かつ第２第２人差し指部および第２中指部と対向する領域に配置されていない。これにより、第２手袋を利き手とは反対の手に装着した装着者が打撃具を握ったときに第１滑り止め部および第２滑り止め部によって装着者が感じる違和感を小さくすることができる。また、第１滑り止め部は、第２薬指部と第２小指部とが並ぶ方向に沿って第２薬指部側から第２小指部側に向けて延在している。第２滑り止め部は、第２薬指部および第２小指部のそれぞれから第１滑り止め部よりも離れて配置されており、かつ第２薬指部側から第２小指部側に向けて第１滑り止め部との間隔が広がるように延在している部分を含んでいる。このため、第２手袋を利き手とは反対の手に装着した装着者が打撃具を握ってスイングしたときに第２手掌部の表面に作用するせん断力に対し垂直に第１滑り止め部および第２滑り止め部をそれぞれ配置することができる。これにより、大きな滑り止め効果を得ることができる。
【００２７】
つまり、第１手袋を利き手に第２手袋を利き手とは反対の手に装着した装着者が打撃具を握ってスイングしたときに、第１手袋または第２手袋のみを装着して同様にスイングした場合と比べて、より大きな滑り止め効果を奏することができる。
【発明の効果】
【００２８】
以上説明したように、本発明によれば、装着者が打撃具を握ったときに滑り止め部材によって装着者が感じる違和感が小さくなり、かつ大きな滑り止め効果を得ることができる。
【図面の簡単な説明】
【００２９】
【図１】実施の形態１に係る第１手袋を手掌側から見た状態を概略的に示す斜視図である。
【図２】図１の手袋に作用するせん断力を概略的に示す図である。
【図３】図１の手袋の滑り止め部材の構成を概略的に示す拡大斜視図である。
【図４】図３のＩＶ−ＩＶ線に沿う拡大断面図である。
【図５】装着者の左手を手掌側から見た場合の左手の外観および骨格を概略的に示す模式図である。
【図６】実施の形態２に係る一対の手袋を手掌側から見た状態を概略的に示す斜視図である。
【図７】実施の形態の変形例１における第１手袋を手掌側から見た状態を概略的に示す斜視図である。
【図８】実施の形態の変形例２における第１手袋を手掌側から見た状態を概略的に示す斜視図である。
【図９】実施の形態の変形例３における第１手袋を手掌側から見た状態を概略的に示す斜視図である。
【図１０】実施の形態の変形例４における第１手袋を手掌側から見た状態を概略的に示す斜視図である。
【図１１】実施の形態の変形例５における第１手袋を手掌側から見た状態を概略的に示す斜視図である。
【図１２】実施の形態の変形例６における第１手袋を手掌側から見た状態を概略的に示す斜視図である。
【図１３】実施の形態の変形例７における第１手袋を手掌側から見た状態を概略的に示す斜視図である。
【図１４】実施の形態の変形例８における第１手袋を手掌側から見た状態を概略的に示す斜視図である。
【図１５】実施の形態の変形例９における第１手袋を手掌側から見た状態を概略的に示す斜視図である。
【図１６】実施の形態の変形例１０における第１手袋を手掌側から見た状態を概略的に示す斜視図である。
【図１７】実施の形態の変形例１１における第１手袋を手掌側から見た状態を概略的に示す斜視図である。
【図１８】実施例の実験１におけるせん断力の計測結果を示す図である。
【図１９】実施例の実験２におけるせん断力の計測結果を示す図である。
【発明を実施するための形態】
【００３０】
以下、図面に基づいて本発明の実施の形態を説明する。なお、特に言及しない限り、以下の図面において同一または対応する部分には同一の参照符号を付し、その説明を繰り返さない。
【００３１】
（実施の形態１）
図１〜図５を参照して、本発明の一実施の形態における第１手袋１の構成について説明する。図１および図２に示されるように、本実施の形態における第１手袋１は、打撃具２００を把持する装着者の利き手に装着される手袋である。本実施の形態における第１手袋１としてゴルフ用手袋が例示されている。また、打撃具２００としてゴルフクラブが例示されている。なお、図２に示される第２手袋２は、利き手に第１手袋１を装着した装着者の反対の手に装着される手袋である。第２手袋２については、後述する実施の形態２において説明する。
【００３２】
第１手袋１は、装着者の一方の手（利き手）を受け入れ可能に構成されている。この一方の手は、ゴルフクラブのグリップ２０１のヘッド側に配置される。装着者は、この一方の手に第１手袋１をはめた状態でゴルフクラブのグリップ２０１を把持する。この第１手袋１は、右打者用の手袋であって、右打者の右手に装着される右手用の手袋である。なお、本実施の形態における第１手袋１は右打者用の手袋に限定されず、左打者用の手袋であってもよい。左打者用の手袋は、右打者用の手袋とは鏡面対象となるように構成されている。また、本実施の形態における第１手袋１は、ゴルフ用手袋に限定されず、野球用手袋などのスポーツ用手袋であってもよい。
【００３３】
第１手袋１は、第１親指部１０Ａと、第１人差し指部１０Ｂと、第１中指部１０Ｃと、第１薬指部１０Ｄと、第１小指部１０Ｅと、第１手掌部１２と、第１滑り止め部材２０とを主に備えている。第１親指部１０Ａ、第１人差し指部１０Ｂ、第１中指部１０Ｃ、第１薬指部１０Ｄおよび第１小指部１０Ｅは、装着者の手の親指、人差し指、中指、薬指および小指をそれぞれ受け入れ可能に構成されている。
【００３４】
第１親指部１０Ａ、第１人差し指部１０Ｂ、第１中指部１０Ｃ、第１薬指部１０Ｄおよび第１小指部１０Ｅは、装着者の手の親指、人差し指、中指、薬指および小指のそれぞれの全体を収容するように構成されている。第１親指部１０Ａ、第１人差し指部１０Ｂ、第１中指部１０Ｃ、第１薬指部１０Ｄおよび第１小指部１０Ｅは互いに独立している。第１手掌部１２は、装着者の手の手掌を受け入れ可能に構成されている。第１親指部１０Ａ、第１人差し指部１０Ｂ、第１中指部１０Ｃ、第１薬指部１０Ｄ、第１小指部１０Ｅおよび第１手掌部１２の材料は、たとえば人工皮革または合成皮革である。
【００３５】
第１滑り止め部材２０は、第１親指部１０Ａ、第１人差し指部１０Ｂ、第１中指部１０Ｃ、第１薬指部１０Ｄおよび第１小指部１０Ｅならびに第１手掌部１２の少なくともいずれかの表面に配置されている。図１および図３に示されるように、第１滑り止め部材２０は、第１親指部１０Ａ、第１人差し指部１０Ｂ、第１中指部１０Ｃ、第１薬指部１０Ｄおよび第１小指部１０Ｅならびに第１手掌部１２の少なくともいずれかの表面から、表面に対して直交方向に突出するように構成されている。図３においては、第１滑り止め部材２０の一例として、人差し指滑り止め部２２が示されている。図３および図４に示されるように、第１滑り止め部材２０の幅方向の断面は、矩形状に構成されている。また矩形状の角部が面取りされた断面形状や、矩形の上辺が凸アール状に盛り上がった断面形状でもよい。
【００３６】
第１滑り止め部材２０は、親指滑り止め部２１、人差し指滑り止め部２２、中指滑り止め部２３、薬指滑り止め部２４、および手掌滑り止め部２５を含む。親指滑り止め部２１は、第１親指部１０Ａの腹側の表面に配置されている。人差し指滑り止め部２２は、第１人差し指部１０Ｂの腹側の表面に配置されている。中指滑り止め部２３は、第１中指部１０Ｃの腹側の表面に配置されている。薬指滑り止め部２４は、第１薬指部１０Ｄの腹側の表面に配置されている。手掌滑り止め部２５は、第１手掌部１２の表面に配置されている。平面視において、手掌滑り止め部２５は、第１手掌部１２の中央よりも、第１人差し指部１０Ｂ、第１中指部１０Ｃ、および第１薬指部１０Ｄ側に配置されている。なお、各指部の腹側の表面とは、装着者が握ったときに各指部において凹状となる面であり、打撃具に接触可能な面を意味する。第１手掌部１２の表面とは、装着者が握ったときに第１手掌部１２において凹状となる面であり、打撃具に接触可能な面を意味する。
【００３７】
親指滑り止め部２１の延在方向は、第１親指部１０Ａの中心線と交差する方向に沿っている。親指滑り止め部２１の延在方向は、第１親指部１０Ａの幅方向に沿っている。親指滑り止め部２１の延在方向とは、親指滑り止め部２１の平面形状の長手方向に沿った方向を意味する。第１親指部１０Ａの中心線とは、第１親指部１０Ａの図心を通り、装着者の親指の付け根から先端に向かう方向に延びる線を意味する。第１手袋１の第１滑り止め部材２０は、４つ以上の親指滑り止め部２１を含んでいてもよい。この場合、各親指滑り止め部２１は、装着者に装着されたときに装着者の親指の第１関節に相当する位置を跨って、第１親指部１０Ａの上記中心線に沿った方向に互いに間隔を隔てて配置されている。なお、本実施の形態では、複数の親指滑り止め部２１が設けられているが、親指滑り止め部２１は１つであってもよい。
【００３８】
人差し指滑り止め部２２の延在方向は、第１人差し指部１０Ｂの中心線に沿っている。人差し指滑り止め部２２の延在方向とは、人差し指滑り止め部２２の平面形状の長手方向に沿った方向を意味する。第１人差し指部１０Ｂの中心線とは、第１人差し指部１０Ｂの図心を通り、装着者の人差し指の付け根から先端に向かう方向に延びる線を意味する。人差し指滑り止め部２２は、装着者に装着されたときに装着者の人差し指の付け根（第３関節）に相当する位置から第２関節に相当する位置を跨って第１関節に相当する位置まで、延在している。
【００３９】
このように、第１手袋１では、親指滑り止め部２１の延在方向が第１親指部１０Ａの中心線に対して成す角度が、人差し指滑り止め部２２の延在方向が第１人差し指部１０Ｂの中心線に対して成す角度と異なる。
【００４０】
中指滑り止め部２３の延在方向は、第１中指部１０Ｃの中心線に沿っている。中指滑り止め部２３の延在方向とは、中指滑り止め部２３の平面形状の長手方向に沿った方向を意味する。第１中指部１０Ｃの中心線とは、第１中指部１０Ｃの図心を通り、装着者の中指の付け根から先端に向かう方向に延びる線を意味する。中指滑り止め部２３は、装着者に装着されたときに装着者の中指の付け根（第３関節）に相当する位置から第２関節に相当する位置を跨って第１関節に相当する位置まで、延在している。
【００４１】
薬指滑り止め部２４の延在方向は、第１薬指部１０Ｄの中心線に沿っている。薬の延在方向とは、薬の平面形状の長手方向に沿った方向を意味する。第１薬指部１０Ｄの中心線とは、第１薬指部１０Ｄの図心を通り、装着者の中指の付け根から先端に向かう方向に延びる線を意味する。薬指滑り止め部２４は、装着者に装着されたときに装着者の薬指の付け根（第３関節）に相当する位置から第２関節に相当する位置を跨って第１関節に相当する位置まで、延在している。
【００４２】
手掌滑り止め部２５の延在方向は、第１人差し指部１０Ｂと第１中指部１０Ｃとが並ぶ方向に沿って第１人差し指部１０Ｂ側から第１小指部１０Ｅ側に向けて延在している。第１人差し指部１０Ｂと第１中指部１０Ｃとが並ぶ方向は、装着者が手袋を装着したときの第１人差し指部１０Ｂと第１中指部１０Ｃとが並ぶ方向を意味する。具体的には、第１人差し指部１０Ｂと第１中指部１０Ｃとが並ぶ方向は、装着者が手袋を装着し、第１人差し指部１０Ｂ、第１中指部１０Ｃ、第１薬指部１０Ｄおよび第１小指部１０Ｅを閉じたときの第１人差し指部１０Ｂと第１中指部１０Ｃとが並ぶ方向を意味する。
【００４３】
図２および図３に示されるように、第１滑り止め部材２０は、装着者が打撃具を握ってスイングしたときに第１親指部１０Ａ，第１人差し指部１０Ｂ、第１中指部１０Ｃ、第１薬指部１０Ｄおよび第１手掌部１２の表面に作用するせん断力の方向に対して交差する方向に延在している。つまり、第１滑り止め部材２０は、せん断力の方向を横切る方向に配置されている。このせん断力は、スイングしたときに遠心力によってグリップに作用する力により表面の面内に沿って作用する力である。図２では、このせん断力の方向が矢印で示されている。このせん断力の方向は、各指部および第１手掌部１２の全体におけるせん断力の方向を示している。この全体のせん断力は右回りとなる。図２に示されるように、第１親指部１０Ａの表面に作用するせん断力の方向が第１親指部１０Ａの中心線に対して成す角度は、第１人差し指部１０Ｂの表面に作用するせん断力の方向が第１人差し指部１０Ｂの中心線に対して成す角度と異なる。なお、ここでは右打者の左手用の手袋に作用するせん断力の方向を示している。左打者の右手用の手袋であれば全体のせん断力の方向は逆向き、つまり左回りとなる。
【００４４】
なお、平面視において、人差し指滑り止め部２２の延在方向は、第１人差し指部１０Ｂの中心線に対し交差していてもよい。平面視において、人差し指滑り止め部２２の延在方向は、第１人差し指部１０Ｂの中心線に対し、第１親指部１０Ａ側に傾けられていてもよい。このときの人差し指滑り止め部２２の延在方向が第１人差し指部１０Ｂの中心線に対して成す角度は、９０度未満である。
【００４５】
同様に、中指滑り止め部２３の延在方向は、第１中指部１０Ｃの中心線に対し交差していてもよい。薬指滑り止め部２４の延在方向は、第１薬指部１０Ｄの中心線に対し交差していてもよい。平面視において、中指滑り止め部２３および薬指滑り止め部２４の各延在方向は、第１中指部１０Ｃおよび第１薬指部１０Ｄの各中心線に対し、第１親指部１０Ａ側に傾けられていてもよい。
【００４６】
また、人差し指滑り止め部２２の延在方向が第１人差し指部１０Ｂの中心線に対して成す角度は、中指滑り止め部２３の延在方向が第１中指部１０Ｃの中心線に対して成す角度、および薬指滑り止め部２４の延在方向が第１薬指部１０Ｄの中心線に対して成す角度と異なっていてもよい。
【００４７】
図２および図５を参照して、第１滑り止め部材２０の配置について、装着者の右手１０１の骨との対応を用いて説明する。図５では、装着者の右手１０１を手掌１０１Ａ側から見た場合の右手１０１の外観および骨格が示されている。
【００４８】
図５に示されるように、人差し指１０１Ｂ２、中指１０１Ｂ３、薬指１０１Ｂ４、小指１０１Ｂ５のそれぞれにおいては、指先側から順に末節骨１１１、中節骨１１２、基節骨１１３、中手骨１１４が配列されている。末節骨１１１と中節骨１１２とは互いに遠位指節間関節１２１を介して接続されている。中節骨１１２と基節骨１１３とは近位指節間関節１２２を介して接続されている。基節骨１１３と中手骨１１４とは中手指節関節１２３を介して接続されている。中手骨１１４の基節骨１１３側の端部には膨出部１１４Ａが配置されている。親指１０１Ｂ１においては、指先側から順に末節骨１１１、基節骨１１３、中手骨１１４が配列されている。親指１０１Ｂ１においては、末節骨１１１と基節骨１１３とは第１指節間関節１２４を介して接続されており、基節骨１１３と中手骨１１４とは中手指節関節１２３を介して接続されている。
【００４９】
親指滑り止め部２１は親指１０１Ｂ１における末節骨１１１から基節骨１１３に跨って配置されている。好ましくは、末節骨１１１の先端から基節骨１１３の根元部に跨って配置されている。人差し指滑り止め部２２は人差し指１０１Ｂ２における中節骨１１２から基節骨１１３に跨って配置されている。好ましくは、中節骨１１２の先端から基節骨１１３の根元部に跨って配置されている。中指滑り止め部２３は中指１０１Ｂ３における中節骨１１２から基節骨１１３に跨って配置されている。好ましくは、中節骨１１２の根元部から基節骨１１３の根元部に跨って配置されている。薬指滑り止め部２４は薬指１０１Ｂ４における中節骨１１２から基節骨１１３に跨って配置されている。好ましくは、中節骨１１２の根元部から基節骨１１３の根元部に跨って配置されている。
【００５０】
手掌滑り止め部２５は手掌１０１Ａ側において人差し指１０１Ｂ２の中手骨１１４の膨出部１１４Ａ、中指１０１Ｂ３の中手骨１１４の膨出部１１４Ａ、および薬指１０１Ｂ４の中手骨１１４の膨出部１１４Ａに跨って配置されている。
【００５１】
なお、本実施の形態に係る第１手袋１の第１滑り止め部材２０は、第１小指部１０Ｅの腹側の表面、および第１手掌部１２において装着者の子指の中手骨１１４の膨出部１１４Ａと重なる部分の表面には配置されていない。
【００５２】
第１滑り止め部材２０は、第１親指部１０Ａ、第１人差し指部１０Ｂ、第１中指部１０Ｃ、第１薬指部１０Ｄおよび第１小指部１０Ｅならびに第１手掌部１２の少なくともいずれかの表面の面内方向において波形に構成されている。つまり、親指滑り止め部２１、人差し指滑り止め部２２、中指滑り止め部２３、薬指滑り止め部２４は、第１親指部１０Ａ、第１人差し指部１０Ｂ、第１中指部１０Ｃ、第１薬指部１０Ｄおよび第１小指部１０Ｅのそれぞれの腹側の表面の面内において波形に構成されている。手掌滑り止め部２５は、第１手掌部１２の表面の面内方向において波形に構成されている。波の形状は正弦波や三角波とすることができる。
【００５３】
平面視において、手掌滑り止め部２５の最大幅は、例えば親指滑り止め部２１、人差し指滑り止め部２２、中指滑り止め部２３、および薬指滑り止め部２４の各最大幅以上であり、好ましくは各最大幅超えである。人差し指滑り止め部２２、中指滑り止め部２３、および薬指滑り止め部２４の各最大幅は、例えば親指滑り止め部２１の最大幅以上であり、好ましくは親指滑り止め部２１の最大幅超えである。なお、第１滑り止め部材２０の各最大幅は、第１滑り止め部材２０の延在方向に垂直な方向の長さを意味する。平面形状が波形状の場合、平面視における手掌滑り止め部２５の最大幅は手掌滑り止め部２５の振幅に等しい。
【００５４】
第１滑り止め部材２０は、延在方向において太さが変化するように構成されている。第１滑り止め部材２０の延在方向において、第１滑り止め部材２０の中央部の太さは第１滑り止め部材２０の両端部の太さよりも太くなっている。第１滑り止め部材２０の延在方向の太さとは、延在方向に垂直であって各表面に沿った方向の第１滑り止め部材２０の長さであり、図３においてＷで示される。
【００５５】
第１滑り止め部材２０は粘弾性体により構成されている。粘弾性体の材料は、たとえばシリコンなどである。粘弾性体の硬度は、たとえばＪＩＳＡ３０程度である。第１滑り止め部材２０の高さは、たとえば１．０ｍｍ以下であり、０．４ｍｍ以上０．６ｍｍ以下が好ましい。また高さは各部位毎に高さを変えて摩擦力を調整することができる。第１滑り止め部材２０が配置された領域の全体の領域に対する占有割合は、たとえば５％以上５０％以下である。
【００５６】
上記では、第１親指部１０Ａ、第１人差し指部１０Ｂ、第１中指部１０Ｃ、第１薬指部１０Ｄおよび第１小指部１０Ｅが、装着者の親指、人差し指、中指、薬指および小指のそれぞれの全体を収容するように構成されている場合について説明した。しかしながら、第１親指部１０Ａ、第１人差し指部１０Ｂ、第１中指部１０Ｃ、第１薬指部１０Ｄおよび第１小指部１０Ｅは、装着者の親指、人差し指、中指、薬指および小指のそれぞれの少なくとも根元部を収容していればよい。
【００５７】
次に、本実施の形態における第１手袋１の作用効果について説明する。
本発明者らは、利き手に第１手袋１を装着した装着者がグリップ２０１を握ってスイングしたときに、第１親指部１０Ａおよび第１人差し指部１０Ｂの表面には第１手袋１の他の部分よりも強いせん断応力が作用すること、および第１親指部１０Ａの表面に作用するせん断力の方向が第１親指部１０Ａの中心線に対して成す角度が、第１人差し指部１０Ｂの表面に作用するせん断力の方向が第１人差し指部１０Ｂの中心線に対して成す角度と異なることを確認した（詳細は後述する）。
【００５８】
本実施の形態の第１手袋１では、親指滑り止め部２１の延在方向が第１親指部１０Ａの中心線に対して成す角度が、人差し指滑り止め部２２の延在方向が第１人差し指部１０Ｂの中心線に対して成す角度と異なる。このため、親指滑り止め部２１および人差し指滑り止め部２２の各延在方向を、装着者がグリップ２０１を握ってスイングしたときに第１親指部１０Ａおよび第１人差し指部１０Ｂの各表面に作用するせん断力に対し交差するように配置することができる。これにより、第１手袋１によれば、第１滑り止め部材２０を備えていない手袋と比べて、大きな滑り止め効果を得ることができる。
【００５９】
上記第１手袋１では、親指滑り止め部２１の延在方向が第１親指部１０Ａの幅方向に沿っており、人差し指滑り止め部２２の延在方向が第１人差し指部１０Ｂの中心線に沿っている。このため、装着者がグリップ２０１を握ってスイングしたときに第１親指部１０Ａおよび第１人差し指部１０Ｂの各表面に作用するせん断力に対し垂直に親指滑り止め部２１および人差し指滑り止め部２２をそれぞれ配置することができる。これにより、第１手袋１によれば、第１滑り止め部材２０を備えていない手袋と比べて、より大きな滑り止め効果を得ることができる。
【００６０】
さらに、本発明者らは、上記スイング時に、第１親指部１０Ａおよび第１人差し指部１０Ｂに次いで、第１手掌部１２において装着者に装着されたときに装着者の人差し指の中手骨の膨出部と重なる部分の表面に、強いせん断力が作用すること、上記スイング時に第１手掌部１２において装着者に装着されたときに装着者の人差し指の中手骨の膨出部と重なる部分の表面に作用するせん断力の方向は第１人差し指部１０Ｂと第１中指部１０Ｃとが並ぶ方向と交差する方向に沿っていること、利き手に装着される第１手袋１の表面に作用するせん断力は第１人差し指部１０Ｂと第１中指部１０Ｃとが並ぶ方向において第１人差し指部１０Ｂから第１小指部１０Ｅ側に向かうにつれて弱くなること、第１中指部１０Ｃおよび第１薬指部１０Ｄの各表面に作用するせん断力の方向は第１中指部１０Ｃおよび第１薬指部１０Ｄの各中心線と交差する方向に沿っていることを確認した。
【００６１】
上記第１手袋１では、第１滑り止め部材２０は、第１手掌部１２の表面に配置された手掌滑り止め部２５をさらに含む。手掌滑り止め部２５は、装着者に装着されたときに装着者の人差し指の中手骨の膨出部と重なるように配置されている。手掌滑り止め部２５は、第１人差し指部１０Ｂと第１中指部１０Ｃとが並ぶ方向に沿って第１人差し指部１０Ｂ側から第１小指部１０Ｅ側に向けて延在している。そのため、装着者がグリップ２０１を握ってスイングしたときに第１手掌部１２において人差し指の中手骨の膨出部と重なる部分に作用するせん断力に対し垂直に手掌滑り止め部２５を配置することができる。これにより、第１手袋１によれば、第１滑り止め部材２０を備えていない手袋と比べて、より大きな滑り止め効果を得ることができる。
【００６２】
上記第１手袋１では、第１滑り止め部材２０は、第１中指部１０Ｃの腹側の表面に配置された中指滑り止め部２３をさらに含む。中指滑り止め部２３は、第１中指部１０Ｃの付け根から先端に向けて延在している。手掌滑り止め部２５は、装着者に装着されたときに装着者の人差し指の中手骨の膨出部および中指の中手骨の膨出部と重なるように配置されている。そのため、装着者がグリップ２０１を握ってスイングしたときに第１中指部１０Ｃの表面に作用するせん断力に対し垂直に中指滑り止め部２３を配置することができる。さらに、装着者がグリップ２０１を握ってスイングしたときに第１手掌部１２において人差し指および中指の各中手骨の膨出部と重なる部分に作用するせん断力に対し垂直に手掌滑り止め部２５を配置することができる。これにより、第１手袋１によれば、第１滑り止め部材２０を備えていない手袋と比べて、より大きな滑り止め効果を得ることができる。
【００６３】
上記第１手袋１では、第１滑り止め部材２０は、第１薬指部１０Ｄの腹側の表面に配置された薬指滑り止め部２４をさらに含む。薬指滑り止め部２４は、第１薬指部１０Ｄの付け根から先端に向けて延在している。手掌滑り止め部２５は、装着者に装着されたときに装着者の人差し指の中手骨の膨出部、中指の中手骨の膨出部、および薬指の中手骨の膨出部と重なるように配置されている。そのため、装着者がグリップ２０１を握ってスイングしたときに第１薬指部１０Ｄの表面に作用するせん断力に対し垂直に薬指滑り止め部２４を配置することができる。さらに、装着者がグリップ２０１を握ってスイングしたときに第１手掌部１２において人差し指、中指および薬指の各中手骨の膨出部と重なる部分に作用するせん断力に対し垂直に手掌滑り止め部２５を配置することができる。これにより、第１手袋１によれば、第１滑り止め部材２０を備えていない手袋と比べて、より大きな滑り止め効果を得ることができる。
【００６４】
さらに、第１手袋１では、第１滑り止め部材２０は、第１小指部１０Ｅの腹側の表面、および第１手掌部１２において装着者の子指の中手骨１１４の膨出部１１４Ａと重なる部分の表面には配置されていない。そのため、第１手袋１は、ゴルフ用途に好適である。
【００６５】
具体的には、ゴルフのグリップは他のスポーツとは異なり、一般的にオーバーラッピンググリップやインターロッキンググリップと言われるように、グリップ時に利き手の小指を利き手と反対の手の人差し指の上に重ねたり、指きりげんまをするように絡めたりするのが一般的であり、ほとんどのゴルファーがどちらかの方法を選択している。そのため、例えば滑り止め部材が第１小指部１０Ｅの腹側の表面および手掌部において装着者の子指の中手骨の膨出部と重なる部分の表面に配置されている手袋を装着してゴルフクラブを握った場合、装着者は違和感を覚えることがある。
【００６６】
これに対し、上記第１手袋１によれば、第１滑り止め部材２０が装着者の利き手とは反対の手に装着される後述する第２手袋２と重ならないように配置されている。そのため、第１手袋１によれば、利き手に装着される手袋であってその全面に渡って滑り止め部材が配置されている手袋と比べて、第１滑り止め部材２０によって装着者が感じる違和感を小さくすることができる。
【００６７】
上記第１手袋１では、第１滑り止め部材２０は、装着者がグリップ２０１を握ってスイングしたときに各指部および第１手掌部１２の表面に作用するせん断力の方向に対して交差する方向に延在している。このため、第１滑り止め部材２０は、上記スイング時にグリップ２０１との間に大きな摩擦力を生じさせることができる。
【００６８】
（実施の形態２）
次に、図６を参照して、実施の形態２に係る一対の手袋３について説明する。一対の手袋３は、実施の形態１に係る第１手袋１と、第１手袋１とは反対の手に装着される第２手袋２とを備えている。つまり、第２手袋２は、打撃具２００を把持する装着者の利き手とは反対の手に装着される手袋である。本実施の形態では第２手袋２としてゴルフ用手袋が例示されている。また、打撃具２００としてゴルフクラブが例示されている。
【００６９】
第２手袋２は、装着者の利き手とは反対の手を受け入れ可能に構成されている。この一方の手は、ゴルフクラブのグリップ２０１の根元側に位置する。装着者は、利き手に上記第１手袋１を装着し利き手とは反対の手に第２手袋２を装着した状態で、ゴルフクラブのグリップ２０１を把持する。図６に示される第２手袋２は、右打者用の手袋であって、右打者の左手に装着される左手用の手袋である。なお、本実施の形態における第２手袋２は右打者用の手袋に限定されず、左打者用の手袋であってもよい。左打者用の手袋は、右打者用の手袋とは鏡面対象となるように構成されている。また、本実施の形態における第２手袋２は、ゴルフ用手袋に限定されず、野球用手袋などのスポーツ用手袋であってもよい。
【００７０】
第２手袋２は、第２親指部１１Ａと、第２人差し指部１１Ｂと、第２中指部１１Ｃと、第２薬指部１１Ｄと、第２小指部１１Ｅと、第２手掌部１３と、第２滑り止め部材３０とを主に備えている。第２親指部１１Ａ、第２人差し指部１１Ｂ、第２中指部１１Ｃ、第２薬指部１１Ｄおよび第２小指部１１Ｅは、装着者の手の親指、人差し指、中指、薬指および小指をそれぞれ受け入れ可能に構成されている。
【００７１】
第２親指部１１Ａ、第２人差し指部１１Ｂ、第２中指部１１Ｃ、第２薬指部１１Ｄおよび第２小指部１１Ｅは、装着者の手の親指、人差し指、中指、薬指および小指のそれぞれの全体を収容するように構成されている。第２親指部１１Ａ、第２人差し指部１１Ｂ、第２中指部１１Ｃ、第２薬指部１１Ｄおよび第２小指部１１Ｅは互いに独立している。第２手掌部１３は、装着者の手の手掌を受け入れ可能に構成されている。第２親指部１１Ａ、第２人差し指部１１Ｂ、第２中指部１１Ｃ、第２薬指部１１Ｄ、第２小指部１１Ｅおよび第２手掌部１３の材料は、たとえば人工皮革または合成皮革である。
【００７２】
第２滑り止め部材３０は、第２親指部１１Ａ、第２人差し指部１１Ｂ、第２中指部１１Ｃ、第２薬指部１１Ｄおよび第２小指部１１Ｅならびに第２手掌部１３の少なくともいずれかの表面に配置されている。第２滑り止め部材３０は、第２親指部１１Ａ、第２人差し指部１１Ｂ、第２中指部１１Ｃ、第２薬指部１１Ｄおよび第２小指部１１Ｅならびに第２手掌部１３の少なくともいずれかの表面から、表面に対して直交方向に突出するように構成されている。
【００７３】
第２滑り止め部材３０は、第２手掌部１３の表面に配置された第１滑り止め部３１ａ、第２滑り止め部３１ｂ、第３滑り止め部３１ｃおよび第４滑り止め部３１ｄを含んでいる。なお、第２手掌部１３の第２滑り止め部材３０は、４つ以上の滑り止め部を含んでいてもよい。
【００７４】
図２および図６に示されるように、第１滑り止め部３１ａおよび第２滑り止め部３１ｂのそれぞれは、装着者が打撃具を握ったときに第２薬指部１１Ｄおよび第２小指部１１Ｅと対向する領域に配置されている。つまり、第１滑り止め部３１ａおよび第２滑り止め部３１ｂのそれぞれは、装着者が打撃具を握ったときに第２薬指部１１Ｄおよび第２小指部１１Ｅによって覆われる。第１滑り止め部３１ａおよび第２滑り止め部３１ｂのそれぞれは、装着者が打撃具を握ったときに第２人差し指部１１Ｂおよび第２中指部１１Ｃと対向する領域に配置されていない。つまり、第１滑り止め部３１ａおよび第２滑り止め部３１ｂのそれぞれは、装着者が打撃具を握ったときに第２人差し指部１１Ｂおよび第２中指部１１Ｃによって覆われない。
【００７５】
第１滑り止め部３１ａは、第２薬指部１１Ｄと第２小指部１１Ｅとが並ぶ方向に沿って第２薬指部１１Ｄ側から第２小指部１１Ｅ側に向けて延在している。第２薬指部１１Ｄと第２小指部１１Ｅとが並ぶ方向は、装着者が手袋を装着したときの第２薬指部１１Ｄと第２小指部１１Ｅとが並ぶ方向を意味する。具体的には、第２薬指部１１Ｄと第２小指部１１Ｅとが並ぶ方向は、装着者が手袋を装着し、第２人差し指部１１Ｂ、第２中指部１１Ｃ、第２薬指部１１Ｄおよび第２小指部１１Ｅを閉じたときの第２薬指部１１Ｄと第２小指部１１Ｅとが並ぶ方向を意味する。第１滑り止め部３１ａは、第２手掌部１３に配置された第２滑り止め部材３０のうちで最も第２薬指部１１Ｄおよび第２小指部１１Ｅの近くに配置されている。
【００７６】
第２滑り止め部３１ｂは、第２薬指部１１Ｄおよび第２小指部１１Ｅのそれぞれから第１滑り止め部３１ａよりも離れて配置されている。具体的には、第２滑り止め部３１ｂは、装着者が第２手袋２を装着して手を開いたとき、すなわち第２薬指部１１Ｄおよび第２小指部１１Ｅを伸ばしたときに、第２薬指部１１Ｄおよび第２小指部１１Ｅのそれぞれから第１滑り止め部３１ａよりも離れて配置されている。
【００７７】
第２滑り止め部３１ｂは、第２薬指部１１Ｄ側から第２小指部１１Ｅ側に向けて第１滑り止め部３１ａとの間隔が広がるように延在している部分を含んでいる。つまり、第１滑り止め部３１ａと第２滑り止め部３１ｂとは、第２薬指部１１Ｄ側から第２小指部１１Ｅ側に向けて互いに間隔が広がるように配置されている。第２薬指部１１Ｄ側の端部における第１滑り止め部３１ａと第２滑り止め部３１ｂとの間隔よりも第２小指部１１Ｅ側の端部における第１滑り止め部３１ａと第２滑り止め部３１ｂとの間隔が広がっている。第２薬指部１１Ｄ側の端部から第２小指部１１Ｅ側の端部に至るまでの途中で第１滑り止め部３１ａと第２滑り止め部３１ｂとの間隔が部分的に狭くなっていても第２小指部１１Ｅ側の端部における第１滑り止め部３１ａと第２滑り止め部３１ｂとの間隔が広がっていればよい。
【００７８】
第３滑り止め部３１ｃおよび第４滑り止め部３１ｄのそれぞれは、第２手掌部１３において装着者の手掌の小指球に相当する位置に配置されている。第３滑り止め部３１ｃおよび第４滑り止め部３１ｄのそれぞれは、装着者が打撃具を握ったときに第２人差し指部１１Ｂ、第２中指部１１Ｃ、第２薬指部１１Ｄおよび第２小指部１１Ｅと対向する領域に配置されていない。
【００７９】
第３滑り止め部３１ｃは、第２薬指部１１Ｄおよび第２小指部１１Ｅのそれぞれから第２滑り止め部３１ｂよりも離れて配置されている。第３滑り止め部３１ｃは、第２薬指部１１Ｄ側から第２小指部１１Ｅ側に向けて第２滑り止め部３１ｂとの間隔が広がるように延在している部分を含んでいる。
【００８０】
第４滑り止め部３１ｄは、第２薬指部１１Ｄおよび第２小指部１１Ｅのそれぞれから第３滑り止め部３１ｃよりも離れて配置されている。第４滑り止め部３１ｄは、第２薬指部１１Ｄ側から第２小指部１１Ｅ側に向けて第３滑り止め部３１ｃとの間隔が広がるように延在している部分を含んでいる。
【００８１】
第１滑り止め部３１ａ、第２滑り止め部３１ｂ、第３滑り止め部３１ｃおよび第４滑り止め部３１ｄのそれぞれの中心線と第２薬指部１１Ｄの中心線とのなす角度は、第１滑り止め部３１ａ、第２滑り止め部３１ｂ、第３滑り止め部３１ｃおよび第４滑り止め部３１ｄの順に大きくなっている。
【００８２】
第１滑り止め部３１ａ、第２滑り止め部３１ｂ、第３滑り止め部３１ｃおよび第４滑り止め部３１ｄのそれぞれの中心線は、第１滑り止め部３１ａ、第２滑り止め部３１ｂ、第３滑り止め部３１ｃおよび第４滑り止め部３１ｄのそれぞれの図心を通って長手方向に延在する中心線を意味する。
【００８３】
第２薬指部１１Ｄの中心線は、装着者が第２手袋２を装着したときの第２薬指部１１Ｄの中心線を意味する。具体的には、第２薬指部１１Ｄの中心線は、装着者が第２手袋２を装着し、第２人差し指部１１Ｂ、第２中指部１１Ｃ、第２薬指部１１Ｄおよび第２小指部１１Ｅを閉じたときの第２薬指部１１Ｄの中心線を意味する。
【００８４】
本実施の形態では、第１滑り止め部３１ａ、第２滑り止め部３１ｂ、第３滑り止め部３１ｃおよび第４滑り止め部３１ｄのそれぞれは、一方端と他方端とをつなぐ仮想の線に沿って長手方向を有している。第１滑り止め部３１ａ、第２滑り止め部３１ｂ、第３滑り止め部３１ｃおよび第４滑り止め部３１ｄのそれぞれの全長（長手方向の長さ）は、第１滑り止め部３１ａ、第２滑り止め部３１ｂ、第３滑り止め部３１ｃおよび第４滑り止め部３１ｄの順に長くなっていてもよい。
【００８５】
第１滑り止め部３１ａ、第２滑り止め部３１ｂ、第３滑り止め部３１ｃおよび第４滑り止め部３１ｄのそれぞれの太さは、それぞれ均一であってもよい。第１滑り止め部３１ａ、第２滑り止め部３１ｂ、第３滑り止め部３１ｃおよび第４滑り止め部３１ｄのそれぞれの太さは、同じであってもよい。また、第１滑り止め部３１ａ、第２滑り止め部３１ｂ、第３滑り止め部３１ｃおよび第４滑り止め部３１ｄのそれぞれの太さは、第１滑り止め部３１ａ、第２滑り止め部３１ｂ、第３滑り止め部３１ｃおよび第４滑り止め部３１ｄの順に太くなっていてもよい。
【００８６】
本実施の形態２では、第２滑り止め部材３０は、第２薬指滑り止め部３２ａおよび小指滑り止め部３２ｂを備えている。第２薬指滑り止め部３２ａは、第２薬指部１１Ｄにおける腹側の表面において第２薬指部１１Ｄの付け根から先端に向けて延在するように構成されている。第２薬指滑り止め部３２ａは薬指の第１関節および第２関節に相当する位置に跨って薬指の延在する方向に延在している。小指滑り止め部３２ｂは、第２小指部１１Ｅにおける腹側の表面において第２小指部１１Ｅの付け根から先端に向けて延在するように構成されている。小指滑り止め部３２ｂは小指の第１関節および第２関節に相当する位置に跨って小指の延在する方向に延在している。なお、第２滑り止め部材３０は、第２薬指滑り止め部３２ａおよび小指滑り止め部３２ｂの少なくともいずれかを備えていればよい。
【００８７】
また、本実施の形態では、第２滑り止め部材３０は、第２親指滑り止め部３３を備えている。第２親指滑り止め部３３は、第２親指部１１Ａにおける腹側の表面において第２親指部１１Ａの幅方向に延在するように構成されている。複数の第２親指滑り止め部３３は、親指の第１関節に相当する位置を跨って親指の延在する方向に並んで配置している。本実施の形態では、複数の第２親指滑り止め部３３が設けられているが、第２親指滑り止め部３３は１つであってもよい。
【００８８】
第２滑り止め部材３０は、第２親指部１１Ａ、第２人差し指部１１Ｂ、第２中指部１１Ｃ、第２薬指部１１Ｄおよび第２小指部１１Ｅならびに第２手掌部１３の少なくともいずれかの表面の面内方向において波形に構成されている。つまり、第１滑り止め部３１ａ、第２滑り止め部３１ｂ、第３滑り止め部３１ｃおよび第４滑り止め部３１ｄは、第２手掌部１３の表面の面内方向において波形に構成されている。第２薬指滑り止め部３２ａ、小指滑り止め部３２ｂおよび第２親指滑り止め部３３のそれぞれは、第２薬指部１１Ｄ、第２小指部１１Ｅおよび第２親指部１１Ａのそれぞれの表面の面内において波形に構成されている。波の形状は正弦波や三角波とすることができる。
【００８９】
図２に示されるように、第２滑り止め部材３０は、装着者が打撃具を握ってスイングしたときに第２薬指部１１Ｄ、第２小指部１１Ｅおよび第２手掌部１３表面に作用するせん断力の方向に対して交差する方向に延在している。つまり、第２滑り止め部材３０は、せん断力の方向を横切る方向に配置されている。
【００９０】
第２滑り止め部材３０は粘弾性体により構成されている。粘弾性体の材料は、たとえばシリコンなどである。粘弾性体の硬度は、たとえばＪＩＳＡ３０程度である。第２滑り止め部材３０の高さは、たとえば１．０ｍｍ以下であり、０．４ｍｍ〜０．６ｍｍが好ましい。また高さは各部位毎に高さを変えて摩擦力を調整することができる。第２滑り止め部材３０が配置された領域の全体の領域に対する占有割合は、たとえば５％以上５０％以下である。
【００９１】
上記では、第２親指部１１Ａ、第２人差し指部１１Ｂ、第２中指部１１Ｃ、第２薬指部１１Ｄおよび第２小指部１１Ｅが、装着者の親指、人差し指、中指、薬指および小指のそれぞれの全体を収容するように構成されている場合について説明した。しかしながら、第２親指部１１Ａ、第２人差し指部１１Ｂ、第２中指部１１Ｃ、第２薬指部１１Ｄおよび第２小指部１１Ｅは、装着者の親指、人差し指、中指、薬指および小指のそれぞれの少なくとも根元部を収容していればよい。
【００９２】
第１滑り止め部材２０の厚みは、第２滑り止め部材３０の厚み以下とすることができる。好ましくは、第１滑り止め部材２０の厚みは、第２滑り止め部材３０の厚み未満とされる。
【００９３】
次に、実施の形態２に係る一対の手袋３の作用効果について説明する。
上述のように、第１手袋１によれば、第１滑り止め部材２０が適切に配置されているため、大きな滑り止め効果を奏することができる。
【００９４】
さらに、第２手袋２によれば、第１滑り止め部３１ａおよび第２滑り止め部３１ｂのそれぞれは、装着者がグリップ２０１を握ったときに第２薬指部１１Ｄおよび第２小指部１１Ｅと対向する領域に配置されており、かつ第２人差し指部１１Ｂおよび第２中指部１１Ｃと対向する領域に配置されていない。これにより、装着者がグリップ２０１を握ったときに第１滑り止め部３１ａおよび第２滑り止め部３１ｂによって装着者が感じる違和感を小さくすることができる。また、第１滑り止め部３１ａは、第２薬指部１１Ｄと第２小指部１１Ｅとが並ぶ方向に沿って第２薬指部１１Ｄ側から第２小指部１１Ｅ側に向けて延在している。第２滑り止め部３１ｂは、第２薬指部１１Ｄおよび第２小指部１１Ｅのそれぞれから第１滑り止め部３１ａよりも離れて配置されており、かつ第２薬指部１１Ｄ側から第２小指部１１Ｅ側に向けて第１滑り止め部３１ａとの間隔が広がるように延在している部分を含んでいる。このため、装着者がグリップ２０１を握ってスイングしたときに第２手掌部１３の表面に作用するせん断力に対し垂直に第１滑り止め部３１ａおよび第２滑り止め部３１ｂをそれぞれ配置することができる。これにより、大きな滑り止め効果を得ることができる。
【００９５】
その結果、一対の手袋３によれば、大きな滑り止め効果を得ることが出来る。
上記第２手袋２においては、第２滑り止め部材３０は、第２薬指滑り止め部３２ａおよび小指滑り止め部３２ｂの少なくともいずれかを含んでいる。このため、装着者がグリップ２０１を握ってスイングしたときに第２薬指部１１Ｄおよび第２小指部１１Ｅの表面に作用するせん断力に対し垂直に第２薬指滑り止め部３２ａおよび小指滑り止め部３２ｂの少なくともいずれかを配置することができる。これにより、大きな滑り止め効果を得ることができる。
【００９６】
上記第２手袋２においては、第２滑り止め部材３０は、第２親指滑り止め部３３を含んでいる。このため、装着者がグリップ２０１を握ってスイングしたときに第２親指部１１Ａの表面に作用するせん断力に対し垂直に第２親指滑り止め部３３を配置することができる。これにより、大きな滑り止め効果を得ることができる。
【００９７】
上記第２手袋２においては、第２滑り止め部材３０は、装着者がグリップ２０１を握ってスイングしたときに各指部および第２手掌部１３の表面に作用するせん断力の方向に対して交差する方向に延在している。このため、当該せん断力に垂直に第２滑り止め部材３０を配置することができる。
【００９８】
上記第２手袋２においては、第２滑り止め部材３０は、各指部および第２手掌部１３の表面の面内方向において波形に構成されている。このため、装着者がグリップ２０１を握ってスイングしたときに各指部および第２手掌部１３の表面に作用するせん断力に対し垂直に滑り止め部材を配置することが容易である。
【００９９】
上記一対の手袋３では、第１手袋１の第１滑り止め部材２０の厚みが、第２手袋２の第２滑り止め部材３０の厚み未満とされ得る。上記スイング時において、第１手袋１の表面に作用するせん断応力は、第２手袋２の表面に作用するせん断応力と比べて、小さい。そのため、第１手袋１の第１滑り止め部材２０の厚みを第２手袋２の第２滑り止め部材３０の厚み未満としても、十分に大きい滑り止め効果を奏することができる。さらに、このような一対の手袋３は、ゴルフ用途に好適である。具体的には、上述のように第１手袋１の第１滑り止め部材２０は第２手袋２と重ならない位置に配置されているものの、利き手とは反対の手に手袋を装着する習慣の無い装着者にとっては、該反対の手を素手としてグリップしていた時の感覚に対し違和感を覚えることがある。上記一対の手袋３によれば、第１滑り止め部材２０の厚みが比較的薄くされることで上記のような装着者が感じる違和感を抑えながらも、素手でのグリップ時と比べて大きな滑り止め効果を奏することができる。
＜変形例＞
次に、実施の形態１，２における第１手袋１の各変形例について説明する。なお、特に言及しない限り、各変形例の第１手袋１は上記実施の形態１の第１手袋１と同様の構成を備えている。
【０１００】
図７に示されるように、本実施の形態の変形例１における第１手袋１は、図１に示される第１手袋１と基本的に同様の構成を備えるが、第１滑り止め部材２０として親指滑り止め部２１および人差し指滑り止め部２２のみを備えている点で異なっている。このような第１手袋１であっても、親指滑り止め部２１および人差し指滑り止め部２２が上記スイング時に第１手袋１において最も強いせん断力が作用する第１親指部１０Ａおよび第１人差し指部１０Ｂに配置されており、かつ親指滑り止め部２１および人差し指滑り止め部２２の各延在方向が上記せん断力の方向と交差するように配置されている。そのため、図７に示される第１手袋１によれば、図７に示される第１滑り止め部材２０を備えない手袋と比べて、大きな滑り止め効果を奏することができる。
【０１０１】
図８に示されるように、本実施の形態の変形例２における第１手袋１は、図１に示される第１手袋１と基本的に同様の構成を備えるが、第１滑り止め部材２０として親指滑り止め部２１、人差し指滑り止め部２２、および手掌滑り止め部２５のみを備えている点で異なっている。手掌滑り止め部２５は、少なくとも手掌１０１Ａ側において人差し指１０１Ｂ２の中手骨１１４の膨出部１１４Ａと重なる部分に配置されている。手掌滑り止め部２５は、中指１０１Ｂ３の中手骨１１４の膨出部１１４Ａ、および薬指１０１Ｂ４の中手骨１１４の膨出部１１４Ａに跨って配置されていなくてもよい。このような第１手袋１は、親指滑り止め部２１および人差し指滑り止め部２２に加えて、手掌滑り止め部２５が上記スイング時に第１手袋１において比較的強いせん断力が作用する、第１手掌部１２において人差し指１０１Ｂ２の中手骨１１４の膨出部１１４Ａと重なる部分に配置されており、かつ手掌滑り止め部２５の各延在方向が上記せん断力の方向と交差するように配置されている。そのため、図８に示される第１手袋１によれば、図８に示される第１滑り止め部材２０を備えない手袋と比べて、大きな滑り止め効果を奏することができる。
【０１０２】
図９に示されるように、本実施の形態の変形例３における第１手袋１は、図１に示される第１手袋１と基本的に同様の構成を備えるが、第１滑り止め部材２０として親指滑り止め部２１、人差し指滑り止め部２２、手掌滑り止め部２５、および中指滑り止め部２３のみを備えている点で異なっている。手掌滑り止め部２５は、例えば手掌１０１Ａ側において人差し指１０１Ｂ２および中指１０１Ｂ３の中手骨１１４の膨出部１１４Ａと重なる部分に配置されている。手掌滑り止め部２５は、薬指１０１Ｂ４の中手骨１１４の膨出部１１４Ａに跨って配置されていなくてもよい。
【０１０３】
このような第１手袋１は、親指滑り止め部２１、人差し指滑り止め部２２および手掌滑り止め部２５に加えて、中指滑り止め部２３が上記スイング時に第１手袋１において比較的強いせん断力が作用する、第１中指部１０Ｃに配置されており、かつ中指滑り止め部２３の各延在方向が上記せん断力の方向と交差するように配置されている。さらに、手掌滑り止め部２５が中指１０１Ｂ３の中手骨１１４の膨出部１１４Ａと重なる部分にも配置されている。そのため、図９に示される第１手袋１によれば、図９に示される第１滑り止め部材２０を備えない手袋と比べて、大きな滑り止め効果を奏することができる。
【０１０４】
図１０に示されるように、本実施の形態の変形例４における第１手袋１は、図１に示される第１手袋１と基本的に同様の構成を備えるが、プリント部４０をさらに備えている点で異なっている。プリント部４０は、第１親指部１０Ａ、第１人差し指部１０Ｂ、第１中指部１０Ｃ、第１薬指部１０Ｄおよび第１小指部１０Ｅのそれぞれの腹ならびに第１手掌部１２の表面から、表面に直交する方向に突出するように構成されている。第１滑り止め部材２０はプリント部４０に重ねられるように配置されていてもよい。また第１滑り止め部材２０はプリント部４０に重ならないように配置されていてもよい。プリント部４０の表面からの高さは、第１滑り止め部材２０の表面からの高さよりも低くなっている。
【０１０５】
プリント部４０は、第１親指部１０Ａ、第１人差し指部１０Ｂ、第１中指部１０Ｃ、第１薬指部１０Ｄおよび第１小指部１０Ｅのそれぞれの腹ならびに第１手掌部１２の全面に亘って設けられている。プリント部４０は例えば格子状に構成されている。各格子は略正方形状に構成されている。
【０１０６】
変形例４における第１手袋１においては、プリント部４０によって摩擦力を向上させることができる。これにより、さらに大きな滑り止め効果を得ることができる。
【０１０７】
図１１に示されるように、本実施の形態の変形例５における第１手袋１は、図１０に示される上記の本実施の形態の変形例４における第１手袋１と基本的に同様の構成を備えるが、第１滑り止め部材２０の太さがその延在方向において略一定に構成されている点で異なる。第１滑り止め部材２０の延在方向において、第１滑り止め部材２０の中央部の太さは第１滑り止め部材２０の両端部の太さと同等であってもよい。
【０１０８】
図１２に示されるように、本実施の形態の変形例６における第１手袋１は、図１０に示される上記の本実施の形態の変形例４における第１手袋１と基本的に同様の構成を備えるが、第１滑り止め部材２０が各表面の面内方向において全体として波形となるように互いに間隔をあけて配置された複数の構成部分２０Ｘを含んでいる点で異なる。
【０１０９】
構成部分２０Ｘは、第１親指部１０Ａの幅方向の中央、第１人差し指部１０Ｂの幅方向の中央、第１中指部１０Ｃの幅方向の中央、および第１薬指部１０Ｄの幅方向の中央のそれぞれには配置されていない。各指部の幅方向は、各指部の延在方向に直交する方向である。また、構成部分２０Ｘは、第１手掌部１２において各指の中手骨１１４の膨出部１１４Ａと重なる部分の幅方向の中央には配置されていない。第１手掌部１２において各指の中手骨１１４の膨出部１１４Ａと重なる部分の幅方向は、各指部の延在方向に沿った方向である。
【０１１０】
本実施の形態の変形例６における第１手袋１においては、構成部分２０Ｘは、第１親指部１０Ａ、第１人差し指部１０Ｂ、第１中指部１０Ｃ、および第１薬指部１０Ｄのそれぞれの幅方向の中央は、それぞれの両側に比べて腹側に突出しているため摩擦力が高くなる。構成部分２０Ｘが第１親指部１０Ａ、第１人差し指部１０Ｂ、第１中指部１０Ｃ、および第１薬指部１０Ｄの各幅方向の中央に配置されていないため、図１２に示される第１手袋１を装着した装着者は違和感を覚えにくい。また、図１２に示される第１手袋１では、第１親指部１０Ａ、第１人差し指部１０Ｂ、第１中指部１０Ｃ、および第１薬指部１０Ｄの各々に生じる摩擦力が幅方向に均一化されている。
【０１１１】
図１３に示されるように、本実施の形態の変形例７における第１手袋１は、図１０に示される上記の本実施の形態の変形例４における第１手袋１と基本的に同様の構成を備えるが、装着者の手の節を外して配置されている点で異なる。
【０１１２】
親指滑り止め部２１は、第１親指部１０Ａにおける親指の第１関節に相当する位置を外して配置されている。人差し指滑り止め部２２は、第１人差し指部１０Ｂにおける人差し指の第１関節および第２関節に相当する位置を外して配置されている。中指滑り止め部２３は、第１中指部１０Ｃにおける中指の第１関節および第２関節に相当する位置を外して配置されている。薬指滑り止め部２４は、第１薬指部１０Ｄにおける薬指の第１関節および第２関節に相当する位置を外して配置されている。
【０１１３】
本実施の形態の変形例７における第１手袋１においては、第１滑り止め部材２０が装着者の手の節を外して配置されているため、第１滑り止め部材２０が装着者の手の節と重なるように配置されている第１手袋１と比べて、装着者がグリップ２０１を握ったときに第１滑り止め部材２０によって装着者が感じる違和感を小さくすることができる。
【０１１４】
図１４に示されるように、本実施の形態の変形例８における第１手袋１は、図１０に示される上記の本実施の形態の変形例４における第１手袋１と基本的に同様の構成を備えるが、第１滑り止め部材２０の屈曲部の数が上記変形例１における第１滑り止め部材２０の屈曲部の数よりも少なくなっており、第１滑り止め部材２０の屈曲部間の距離が上記変形例１における第１滑り止め部材２０の屈曲部間の距離よりも長くなっている点で異なっている。異なる観点から言えば、変形例８における第１滑り止め部材２０の波形形状の波数は上記変形例１における第１滑り止め部材２０の波形形状の波数よりも少ない。変形例８における第１滑り止め部材２０の波形形状の波長は上記変形例１における第１滑り止め部材２０の波形形状の波長よりも大きい。
【０１１５】
図１５に示されるように、本実施の形態の変形例９における第１手袋１は、図１０に示される上記の本実施の形態の変形例４における第１手袋１と基本的に同様の構成を備えるが、第１滑り止め部材２０の上記最大幅が上記変形例１における第１滑り止め部材２０の上記最大幅よりも小さくなっている点で異なっている。異なる観点から言えば、変形例９における第１滑り止め部材２０の波形形状の振幅は、上記変形例１における第１滑り止め部材２０の波形形状の振幅よりも小さい。
【０１１６】
図１６に示されるように、本実施の形態の変形例１０における第１手袋１は、図１０に示される上記の本実施の形態の変形例４における第１手袋１と基本的に同様の構成を備えるが、親指滑り止め部２１、人差し指滑り止め部２２、中指滑り止め部２３、薬指滑り止め部２４、および手掌滑り止め部２５の少なくとも１つが複数並列して配置されている点で異なる。例えば、図１６に示されるように、親指滑り止め部２１、人差し指滑り止め部２２、中指滑り止め部２３、薬指滑り止め部２４、および手掌滑り止め部２５の各々が複数並列して配置されている。変形例１０では、親指滑り止め部２１、人差し指滑り止め部２２、中指滑り止め部２３、薬指滑り止め部２４、および手掌滑り止め部２５の各々の上記太さが、図１に示される第１手袋１におけるこれらの太さと比べて、細くされている。
【０１１７】
図１６では当該部分が３本で１組となるように構成されている。当該部分は２本で１組となるように構成されていてもよく、４本以上で１組となるように構成されていてもよい。複数の親指滑り止め部２１は、例えば第１親指部１０Ａの上記延在方向に平行移動されたときに互いに重なるように配置されている。複数の人差し指滑り止め部２２、複数の中指滑り止め部２３、複数の薬指滑り止め部２４の各々は、例えば各指部の上記幅方向に平行移動されたときに互いに重なるように配置されている。複数の手掌滑り止め部２５は、例えば第１人差し指部１０Ｂの延在方向に平行移動されたときに互いに重なるように配置されている。変形例１０における第１滑り止め部材２０の各１組の滑り止め部では、各波形形状の位相が、第１滑り止め部材２０の延在方向においてずれないように配置されている。
【０１１８】
図１７に示されるように、本実施の形態の変形例１１における第１手袋１は、図１６に示される上記の本実施の形態の変形例１０における第１手袋１と基本的に同様の構成を備えるが、第１滑り止め部材２０の１組の３本の滑り止め部材２０内で、各部分の波形形状の位相が互いにずれるように構成されている点で異なる。
【０１１９】
上述した実施の形態１，２に係る第１手袋１と変形例１〜１１に係る第１手袋１とは、第１滑り止め部材２０の各延在方向を、装着者がグリップ２０１を握ってスイングしたときに第１手袋１の各表面に作用するせん断力に対し交差するように配置することができる点で共通している。そのため、上述した各第１手袋１は、大きな滑り止め効果を奏することができる。
【０１２０】
なお、上記の本実施の形態および各変形例は適宜組み合わせることができる。各変形例を示す各図にはプリント部４０が示されているが、各変形例においてプリント部４０は省かれていてもよい。
【実施例】
【０１２１】
以下、本発明の実施例について説明する。本発明による手袋を構成するにあたり、以下の実験１，２を実施した。
【０１２２】
（実験１）
スイング中に手にかかるせん断力を計測した。具体的には、１人の被験者が、利き手に上記第１手袋１を装着してゴルフクラブを握り、スイングしたときに第１手袋とグリップの間にかかるせん断力を計測した。ゴルフクラブは、美津濃株式会社製ＪＰＸ  Ｅ３ドライバーを用いた。被験者は、右打者である。ヘッドスピードは３８．０ｍ／ｓであった。
【０１２３】
計測センサは、タッチエンス株式会社製３軸触覚センサ（ＴＳＳＩ  ＯＤ１０  Ｃ１０）を用いた。定格荷重は圧力４０Ｎおよびせん断力±８Ｎとした。３軸触覚センサをＰＣ（パーソナルコンピュータ）に接続して、ＸＹＺ方向の時系列データを計測した。サンプリング時間は１／１００秒とした。ＸＹＺ方向のうちＸＹ方向の時系列データからせん断力を計測した。またＸＹＺ方向のうちＺ方向の時系列データから圧力を計測した。左手袋に３軸触覚センサを貼り付けてスイングしたときに手袋とグリップの間にかかるせん断力および圧力を計測した。データには１０Ｈｚのバターワースフィルターを適用した。せん断力および圧力は図１８に示す１６箇所で計測した。図１８では、１６箇所のうちせん断応力が所定の大きさ以上であった各点でのせん断力の向きおよび大きさが矢印の向きおよび大きさで示されている。
【０１２４】
図１８に示されるように、ゴルフのスイングの際の利き手に装着された第１手袋に作用するせん断応力は、第１親指部および第１人差し指部に最も強く作用し、第１中指部には第１親指部および第１人差し指部よりも弱く作用し、第１薬指部には第１中指部よりも弱く作用することが確認された。また、ゴルフのスイングの際の利き手に装着された第１手袋に作用するせん断応力は、第１手掌部にも作用することが確認された。
【０１２５】
さらに、第１親指部に作用するせん断力は、第１親指部の上記延在方向に沿うように作用することが確認された。第１人差し指部に作用するせん断力は、第１人差し指部の上記延在方向に交差する方向に作用することが確認された。第１中指部に作用するせん断力は、第１中指部の上記延在方向に交差する方向に作用することが確認された。第１薬指部に作用するせん断力は、第１薬指部の上記延在方向に交差する方向に作用することが確認された。
【０１２６】
（実験２）
１人の被験者が利き手とは反対の手に上記第２手袋を装着してゴルフクラブを握り、スイングしたときに第２手袋とグリップの間にかかるせん断力を計測した。ゴルフクラブは、美津濃株式会社製ＪＰＸ  Ｅ３ドライバーを用いた。被験者は、右打者である。ヘッドスピードは３８．０ｍ／ｓであった。
【０１２７】
計測センサは、タッチエンス株式会社製３軸触覚センサ（ＴＳＳＩ  ＯＤ１０  Ｃ１０）を用いた。定格荷重は圧力４０Ｎおよびせん断力±８Ｎとした。３軸触覚センサをＰＣ（パーソナルコンピュータ）に接続して、ＸＹＺ方向の時系列データを計測した。サンプリング時間は１／１００秒とした。ＸＹＺ方向のうちＸＹ方向の時系列データからせん断力を計測した。またＸＹＺ方向のうちＺ方向の時系列データから圧力を計測した。左手袋に３軸触覚センサを貼り付けてスイングしたときに手袋とグリップの間にかかるせん断力および圧力を計測した。データには１０Ｈｚのバターワースフィルターを適用した。せん断力および圧力は図１９に示す１６点で計測した。図１９では、１６箇所のうちせん断応力が所定の大きさ以上であった各点でのせん断力の向きおよび大きさが矢印の向きおよび大きさで示されている。
【０１２８】
図１９に示されるように、ゴルフのスイングの際に必要とされる薬指および小指から手掌の小指球に向けて大きなせん断力が作用することがわかった。また、薬指および小指から手掌の小指球に向けて右回りにせん断力が作用することがわかった。さらに、親指の付け根から先端に向けて大きさなせん断力が作用することがわかった。また、人差し指および中指の付け根に小指側に向けてせん断力が作用することがわかった。
【０１２９】
また、手掌の薬指および小指側の先端部において圧力が大きくなることがわかった。さらに親指の先端部において圧力が大きくなることがわかった。
【０１３０】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることを意図される。
【符号の説明】
【０１３１】
１  第１手袋、２  第２手袋、３  一対の手袋、１０Ａ  第１親指部、１０Ｂ  第１人差し指部、１０Ｃ  第１中指部、１０Ｄ  第１薬指部、１０Ｅ  第１小指部、１１Ａ  第２親指部、１１Ｂ  第２人差し指部、１１Ｃ  第２中指部、１１Ｄ  第２薬指部、１１Ｅ  第２小指部、１２  第１手掌部、１３  第２手掌部、２０  第１滑り止め部材、２０Ｘ  構成部分、２１  親指滑り止め部、２２  人差し指滑り止め部、２３  中指滑り止め部、２４  薬指滑り止め部、２５  手掌滑り止め部、３０  第２滑り止め部材、３１ａ  第１滑り止め部、３１ｂ  第２滑り止め部、３１ｃ  第３滑り止め部、３１ｄ  第４滑り止め部、３２ａ  第２薬指滑り止め部、３２ｂ  小指滑り止め部、３３  第２親指滑り止め部、４０  プリント部、２００  打撃具、２０１  グリップ。
【図１】
2019090133.tif 000003
【図２】
2019090133.tif 000004
【図３】
2019090133.tif 000005
【図４】
2019090133.tif 000006
【図５】
2019090133.tif 000007
【図６】
2019090133.tif 000008
【図７】
2019090133.tif 000009
【図８】
2019090133.tif 000010
【図９】
2019090133.tif 000011
【図１０】
2019090133.tif 000012
【図１１】
2019090133.tif 000013
【図１２】
2019090133.tif 000014
【図１３】
2019090133.tif 000015
【図１４】
2019090133.tif 000016
【図１５】
2019090133.tif 000017
【図１６】
2019090133.tif 000018
【図１７】
2019090133.tif 000019
【図１８】
2019090133.tif 000020
【図１９】
2019090133.tif 000021